(57)【要約】【課題】地上デジタル放送の受信状態が僅かな時間悪化した場合における強階層への切り替えを有効に防止することによって、弱階層の放送の継続視聴時間を確保することができる「車載用地上デジタル放送受信装置」を提供すること。【解決手段】弱階層の放送の視聴中に、階層選択の対象となる強階層の放送信号と弱階層の放送信号とを記憶部１２に所定時間格納しておき、この所定時間中に受信状態が良好な状態から悪化した場合においても、悪化した受信状態の継続時間が短い場合には、所定時間の経過を待って弱階層を選択して、記憶部１２内の弱階層の放送信号を映像・音声出力（タイムシフト出力）させること。【選択図】図１
2012169902.tif 000002
【特許請求の範囲】
【請求項１】
地上デジタル放送における同一の伝送帯域を用いて階層伝送された強階層の放送信号および弱階層の放送信号を受信する受信手段と、
前記強階層および前記弱階層のうちの放送信号の映像・音声出力を行うべき一方の階層の選択を行う階層選択手段と、
前記受信手段によって受信された前記強階層の放送信号および前記弱階層の放送信号のうちの前記階層選択手段によって選択された前記階層に該当する放送信号の映像・音声出力を行う映像・音声出力手段と
を備えた車載用地上デジタル放送受信装置であって、
前記受信された前記強階層の放送信号および前記弱階層の放送信号を、これらを対象とした前記階層選択手段による前記階層の選択前に、記憶部に少なくとも所定時間格納する放送信号格納手段と、
前記所定時間中の前記受信手段の受信状態を監視する受信状態監視手段と、
前記所定時間が経過した際に、前記階層選択手段に前記記憶部内の前記強階層の放送信号および前記弱階層の放送信号を対象とした前記階層の選択を行わせ、その際に、当該選択を前記受信状態監視手段の監視結果に基づいて制御する階層選択制御手段と
を備え、
前記階層選択制御手段は、
前記映像・音声出力手段による前記弱階層の放送信号の映像・音声出力が行われている状況下で前記所定時間が経過した際に、当該所定時間中の前記受信状態監視手段の監視結果が前記受信状態の悪化を示している場合であっても、当該所定時間中における当該悪化した受信状態の継続時間が閾値時間以下の場合には、前記階層選択手段に前記弱階層の選択を行わせること
を特徴とする車載用地上デジタル放送受信装置。
【請求項２】
前記階層選択制御手段は、
前記映像・音声出力手段による前記強階層の放送信号の映像・音声出力が行われている状況下で前記所定時間が経過した際に、当該所定時間中の前記受信状態監視手段の監視結果が前記受信状態の回復を示している場合であって、当該所定時間中における当該回復した受信状態の継続時間が閾値時間以上の場合には、前記階層選択手段に前記弱階層の選択を行わせること
を特徴とする請求項１に記載の車載用地上デジタル放送受信装置。
【請求項３】
前記放送信号格納手段は、
前記受信された前記強階層の放送信号については、前記記憶部に前記所定時間格納し、前記受信された前記弱階層の放送信号については、前記記憶部に前記所定時間よりも所定の遅延時間だけ長い時間格納することによって、前記階層選択手段による前記弱階層の選択後も、前記記憶部内の前記弱階層の放送信号の映像・音声出力への移行を前記遅延時間だけ遅延させること
を特徴とする請求項１または請求項２に記載の車載用地上デジタル放送受信装置。
【請求項４】
前記放送信号格納手段による前記強階層の放送信号および前記弱階層の放送信号の格納と、前記階層選択制御手段の制御の下での前記階層選択手段による前記階層の選択とを、前記階層の自動選択モードが設定されている場合に行うこと
を特徴とする請求項１乃至請求項３のいずれか１項に記載の車載用地上デジタル放送受信装置。
【発明の詳細な説明】
【技術分野】
【０００１】
本発明は、車載用地上デジタル放送受信装置に係り、特に、階層伝送された地上デジタル放送の放送信号を受信して、受信状態に応じた階層の放送信号を映像・音声出力するのに好適な車載用デジタル放送受信装置に関する。
【背景技術】
【０００２】
地上デジタル放送においては、１つのチャンネル（例えば、約５．６ＭＨｚの伝送帯域）の中を、１３個のセグメント（例えば、１セグメント＝４２９ｋＨｚ）に分割し、セグメント単位で異なる変調方式を適用することにより、固定向けのデジタル放送と、携帯・移動体向けのデジタル放送とを同時に行うことが可能となっている。
【０００３】
このような地上デジタル放送において、固定向けのデジタル放送と携帯・移動体向けのデジタル放送との放送内容（例えば、テレビ番組）が互いに同一である場合には、このような場合における同時放送を、特に、サイマル放送と呼称する場合がある。
【０００４】
ここで、地上デジタル放送のセグメント構造の一例として、ＯＦＤＭ（Orthogonal Frequency Division Multiplexing）のセグメント構造においては、１３個のセグメントのうちの１個のセグメントが、携帯・移動体向けのデジタル放送を行うセグメントとされている。この１個のセグメントには、変調方式として、例えば、ノイズやマルチパスに強いＱＰＳＫ（Quadrature Phase Shift Keying）が適用されており、この１個のセグメントによって構成された携帯・移動体向けのデジタル放送（いわゆるワンセグ放送）を行う階層は、強階層と呼称されている。この強階層のワンセグ放送では、簡易動画放送が視聴可能とされている。
【０００５】
一方、その他の１２個のセグメントは、固定向けのデジタル放送を行うセグメントとされている。これら１２個のセグメントには、変調方式として、例えば、ノイズやマルチパスに弱くビットレートが多い６４ＱＡＭ（Quadrature Amplitude Modulation）が適用されており、これら１２個のセグメントによって構成された固定向けのデジタル放送（いわゆるフルセグ放送）を行う階層は、弱階層と呼称されている。この弱階層のフルセグ放送では、ＨＤＴＶ（High Definition TeleVision）放送やＳＤＴＶ（Standard Definition TeleVision）放送が視聴可能とされている。
【０００６】
サイマル放送においては、このような強階層および弱階層の双方によって同一の放送内容（番組やサービス）を同時に提供することができるようになっている。
【０００７】
そして、このようなサイマル放送は、車両に搭載された車載用地上デジタル放送受信装置にも適用されている。
【０００８】
この種の車載用地上デジタル放送受信装置においては、画質や音質が高い（良好な）フルセグ（固定向け）の放送信号を優先的に映像・音声出力するように設定しておき、車両の走行地点等に応じて地上デジタル放送の受信状態が悪化した場合には、ワンセグ（携帯・移動体向け）の放送信号の映像・音声出力へと自動的に切り替え、その後、受信状態が回復した場合には、フルセグの放送信号の映像・音声出力へと自動的に復帰させることが提案されていた。
【先行技術文献】
【特許文献】
【０００９】
【特許文献１】特開２００７−１８９４９７号公報
【発明の概要】
【発明が解決しようとする課題】
【００１０】
しかしながら、受信状態が頻繁に変化するような場所を自車が走行する際には、ワンセグの放送信号の映像・音声出力とフルセグの放送信号の映像・音声出力とが頻繁に切り替わることになるため、ユーザは、このようなワンセグとフルセグとの切り替え時において、ミュート画面の挿入による映像の途切れ感や、一時的な消音（特に、ワンセグからフルセグへの切り替えの場合）による音声の途切れ感を感じてしまうといった不具合が発生していた。
【００１１】
このような不具合を解消するために、例えば、特許文献１に示すように、受信状態が回復した後にも、一定時間はワンセグの選択を維持することを考えることもできる。
【００１２】
しかるに、特許文献１に記載の構成においては、受信状態が良好な状態から悪化して、その直後に良好な状態に回復するような場面においても、受信状態の悪化にともなって直ちにワンセグの選択に切り替え、その後は、受信状態の回復にかかわらずワンセグの選択を維持することになる。このような構成では、受信状態が僅かな時間悪化した場合でもワンセグに切り替えてしまうといった点で、ワンセグとフルセグとの頻繁な切り替えを有効に防止しているとは言えず、また、こればかりでなく、視聴品質に優れたフルセグの放送を可及的に長時間視聴し続けたいというユーザの要求に応えられてもいない。
【００１３】
そこで、本発明は、このような点に鑑みなされたものであり、地上デジタル放送の受信状態が僅かな時間悪化した場合における強階層への切り替えを有効に防止することによって、弱階層の放送の継続視聴時間を確保することができる車載用地上デジタル放送受信装置を提供することを目的とするものである。
【課題を解決するための手段】
【００１４】
前述した目的を達成するため、本発明に係る車載用地上デジタル放送受信装置は、地上デジタル放送における同一の伝送帯域を用いて階層伝送された強階層の放送信号および弱階層の放送信号を受信する受信手段と、前記強階層および前記弱階層のうちの放送信号の映像・音声出力を行うべき一方の階層の選択を行う階層選択手段と、前記受信手段によって受信された前記強階層の放送信号および前記弱階層の放送信号のうちの前記階層選択手段によって選択された前記階層に該当する放送信号の映像・音声出力を行う映像・音声出力手段とを備えた車載用地上デジタル放送受信装置であって、前記受信された前記強階層の放送信号および前記弱階層の放送信号を、これらを対象とした前記階層選択手段による前記階層の選択前に、記憶部に少なくとも所定時間格納する放送信号格納手段と、前記所定時間中の前記受信手段の受信状態を監視する受信状態監視手段と、前記所定時間が経過した際に、前記階層選択手段に前記記憶部内の前記強階層の放送信号および前記弱階層の放送信号を対象とした前記階層の選択を行わせ、その際に、当該選択を前記受信状態監視手段の監視結果に基づいて制御する階層選択制御手段とを備え、前記階層選択制御手段は、前記映像・音声出力手段による前記弱階層の放送信号の映像・音声出力が行われている状況下で前記所定時間が経過した際に、当該所定時間中の前記受信状態監視手段の監視結果が前記受信状態の悪化を示している場合であっても、当該所定時間中における当該悪化した受信状態の継続時間が閾値時間以下の場合には、前記階層選択手段に前記弱階層の選択を行わせることを特徴としている。
【００１５】
そして、このような構成によれば、弱階層の放送の視聴中に、階層選択の対象となる強階層の放送信号と弱階層の放送信号とを記憶部に所定時間格納しておき、この所定時間中に受信状態が良好な状態から悪化した場合においても、悪化した受信状態の継続時間が短い場合には、所定時間の経過を待って弱階層を選択して、記憶部内の弱階層の放送信号を映像・音声出力（タイムシフト出力）させることができるので、地上デジタル放送の受信状態が僅かな時間悪化した場合における強階層への切り替えを有効に防止して、弱階層の放送の継続視聴時間を確保することができる。
【００１６】
また、前記階層選択制御手段は、前記映像・音声出力手段による前記強階層の放送信号の映像・音声出力が行われている状況下で前記所定時間が経過した際に、当該所定時間中の前記受信状態監視手段の監視結果が前記受信状態の回復を示している場合であって、当該所定時間中における当該回復した受信状態の継続時間が閾値時間以上の場合には、前記階層選択手段に前記弱階層の選択を行わせてもよい。
【００１７】
そして、このような構成によれば、強階層の放送の視聴中に、階層選択の対象となる強階層の放送信号と弱階層の放送信号とを記憶部に所定時間格納しておき、この所定時間を利用して受信状態の回復が安定したことを判断した上で弱階層の選択に切り替えることができるので、弱階層の放送信号の安定的な映像・音声出力に移行することができる。
【００１８】
さらに、前記放送信号格納手段は、前記受信された前記強階層の放送信号については、前記記憶部に前記所定時間格納し、前記受信された前記弱階層の放送信号については、前記記憶部に前記所定時間よりも所定の遅延時間だけ長い時間格納することによって、前記階層選択手段による前記弱階層の選択後も、前記記憶部内の前記弱階層の放送信号の映像・音声出力への移行を前記遅延時間だけ遅延させてもよい。
【００１９】
そして、このような構成によれば、強階層の放送信号のデコード時間が弱階層の放送信号のデコード時間よりも長くなることを考慮して、弱階層の放送信号を記憶部に遅延時間分長く格納することによって、強階層の放送信号の映像・音声出力から弱階層の放送信号の映像・音声出力への切り替えをコマ落ちや音飛びが少ない滑らかな状態で行うことができる。
【００２０】
さらにまた、前記放送信号格納手段による前記強階層の放送信号および前記弱階層の放送信号の格納と、前記階層選択制御手段の制御の下での前記階層選択手段による前記階層の選択とを、前記階層の自動選択モードが設定されている場合に行ってもよい。
【００２１】
そして、このような構成によれば、ユーザの意思を反映させた階層選択を行うことができる。
【発明の効果】
【００２２】
本発明によれば、地上デジタル放送の受信状態が僅かな時間悪化した場合における強階層への切り替えを有効に防止して、視聴品質に優れた弱階層の放送の継続視聴時間を確保することができる。
【図面の簡単な説明】
【００２３】
【図１】本発明に係る車載用地上デジタル放送受信装置の第１実施形態を示すブロック図
【図２】本発明に係る車載用地上デジタル放送受信装置の第１実施形態において、受信状態の僅かな時間の悪化を無視したフルセグ継続選択を説明するための説明図
【図３】本発明に係る車載用地上デジタル放送受信装置の第１実施形態において、本実施形態の効果を従来との比較によって示す概念図
【図４】本発明に係る車載用地上デジタル放送受信装置の第１実施形態を示すフローチャート
【図５】本発明に係る車載用地上デジタル放送受信装置の第２実施形態を示すブロック図
【図６】本発明に係る車載用地上デジタル放送受信装置の第２実施形態を示すフローチャート
【発明を実施するための形態】
【００２４】
（第１実施形態）
以下、本発明に係る車載用地上デジタル放送受信装置の第１実施形態について、図１乃至図４を参照して説明する。
【００２５】
本実施形態における車載用地上デジタル放送受信装置は、地上デジタル放送における同一の伝送帯域（チャンネル）を用いて階層伝送されたワンセグ（強階層）放送とフルセグ（弱階層）放送とを同時に受信し、これらの受信した各階層ごとの地上デジタル放送を選択的に映像・音声出力することが可能とされている。
【００２６】
具体的には、図１に示すように、本実施形態における車載用地上デジタル放送受信装置１は、受信手段としてのチューナ２を有しており、このチューナ２は、アンテナ２ａを介して地上デジタル放送の電波を受信するようになっている。そして、チューナ２は、受信した地上デジタル放送の電波から、設定された伝送帯域に合致した受信周波数の信号を抽出（選択受信）し、この抽出した信号を後段に出力するようになっている。
【００２７】
チューナ２の後段には、ＯＦＤＭ復調部３が接続されており、このＯＦＤＭ復調部３には、チューナ２から出力された信号が入力されるようになっている。そして、ＯＦＤＭ復調部３は、入力された信号をＯＦＤＭ復調することによってトランスポートストリームを取得し、この取得したトランスポートストリームを後段に出力するようになっている。
【００２８】
ＯＦＤＭ復調部３の後段には、誤り訂正部４が接続されており、この誤り訂正部４には、ＯＦＤＭ復調部３から出力されたトランスポートストリームが入力されるようになっている。そして、誤り訂正部４は、入力されたトランスポートストリームを、必要に応じた誤り訂正を行った上で後段に出力するようになっている。
【００２９】
誤り訂正部４の後段には、デマルチプレクサ部５が接続されて配設されており、このデマルチプレクサ部５には、誤り訂正部４から出力された後のトランスポートストリームが入力されるようになっている。ただし、デマルチプレクサ部５には、誤り訂正部４から直接トランスポートストリームが入力される場合と、後述する制御部１０を介して入力される場合とがあり、前者は、後述する手動階層選択モードが設定されている場合であり、後者は、後述する自動階層選択モードが設定されている場合である。そして、デマルチプレクサ部５は、入力された多重化されているトランスポートストリームを分離することによって、ワンセグ（強階層）の映像ストリーム、ワンセグの音声ストリーム、フルセグ（弱階層）の映像ストリームおよびフルセグの音声ストリームを取得するようになっている。さらに、デマルチプレクサ部５は、このようにして取得した各階層の映像・音声ストリームのうち、予め選択された階層の映像・音声ストリームを後段に出力するようになっている。
【００３０】
デマルチプレクサ部５の後段には、ＭＰＥＧデコード部６が接続されており、このＭＰＥＧデコード部６の後段には、ディスプレイ等からなる表示部７と、スピーカ等からなる音声出力部８とがそれぞれ接続されている。これらＭＰＥＧデコード部６、表示部７および音声出力部８は、映像・音声出力手段を構成している。すなわち、ＭＰＥＧデコード部６には、デマルチプレクサ部５から出力された選択された階層の映像・音声ストリームが入力されるようになっている。そして、ＭＰＥＧデコード部６は入力された映像ストリームをデコードして映像信号を取得し、この映像信号を表示部７に出力するようになっている。また、ＭＰＥＧデコード部６は、入力された音声ストリームをデコードして音声信号を取得し、この音声信号を音声出力部８に出力するようになっている。このようにして、選択された階層（ワンセグ／フルセグ）に該当する映像・音声ストリームの映像・音声出力が行われるようになっている。
【００３１】
また、図１に示すように、車載用地上デジタル放送受信装置１は、地上デジタル放送の映像・音声出力に関する各種の処理や制御を行う制御部１０と、各種のユーザ操作が可能とされた操作部１１とを有している。制御部１０は、例えば、制御部１０の機能を実現するためのプログラムやデータが記憶されたＲＯＭと、このＲＯＭに記憶されたプログラムを実行するＣＰＵと、このＣＰＵの処理結果を一時的に保存するＲＡＭとによって構成してもよい。また、操作部１１は、リモコン等であってもよい。
【００３２】
ここで、制御部１０は、操作部１１を用いたユーザの選局操作にしたがって、チューナ２が受信すべき伝送帯域を決定し、決定された伝送帯域に合致する受信周波数をチューナ２に設定するようになっている。
【００３３】
また、制御部１０には、操作部１１を用いたユーザ操作によって、階層選択（切り替え）モードが設定可能とされている。階層選択モードには、ワンセグ／フルセグを手動で選択（切り替え）する手動階層選択モードと、ワンセグ／フルセグを自動的に選択する自動階層選択モードとが含まれている。なお、自動階層選択モードは、更に、フルセグ優先選択、ワンセグ優先選択等の複数のモードに細分化されていてもよい。
【００３４】
そして、制御部１０は、所定の１つの階層選択モードが設定された状態で、設定された階層選択モードに応じた車載用地上デジタル放送受信装置１の所定の動作にしたがって、ワンセグおよびフルセグのうちの映像・音声ストリーム（放送信号）の映像・音声出力を行うべき一方の階層を選択するようになっている。すなわち、制御部１０は、階層選択手段としての機能を有している。例えば、制御部１０は、手動階層選択モードが設定されている状態では、操作部１１を用いたユーザ操作にしたがった階層を選択するようになっている。また、制御部１０は、自動階層選択モードが設定されている状態では、チューナ２の受信状態に応じた階層を自動的に選択するようになっている。なお、チューナ２の受信状態は、例えば、受信電界強度、Ｃ／Ｎ（Carrier to Noise ratio）値または誤り訂正部４の誤り訂正率等であってもよい。さらに、制御部１０は、このようにして階層を選択すると、選択された階層を示す階層選択信号を生成し、これをデマルチプレクサ部５に出力するようになっている。
【００３５】
これにより、デマルチプレクサ部５は、多重分離によって取得した各階層の映像・音声ストリームのうちの制御部１０から出力された階層選択信号が示す階層（すなわち、予め選択された階層）の映像・音声ストリームを、前述のようにＭＰＥＧデコード部６に出力するようになっている。
【００３６】
そして、このような構成に加えて、さらに、本実施形態においては、自動階層選択モードの設定状態において、フルセグからワンセグへの頻繁な自動切り替えを抑制するとともに、フルセグの継続視聴時間を確保するための手段が講じられている。
【００３７】
すなわち、図１に示すように、車載用地上デジタル放送受信装置１は、記憶部１２を有している。また、制御部１０は、放送信号格納手段として機能し、チューナ２によって受信された強階層の放送信号および弱階層の放送信号として、誤り訂正部４による誤り訂正後のトランスポートストリーム（図１におけるＴＳ）を、これを対象とした階層の選択前に、記憶部１２に所定時間格納（バッファリング）するようになっている。なお、記憶部１２には、一連のトランスポートストリームがＦＩＦＯ形式で逐次新たに格納されてくことになるが、制御部１０は、記憶部１２内におけるトランスポートストリームの格納時間の管理を、１回の階層選択の対象とすべき単位ごとに個別に行ってもよい。例えば、この単位を所定パケット数のＴＳパケット（１パケット＝１８８バイト固定長）とした場合には、記憶部１２内の最古の所定パケット数のＴＳパケット（すなわち、記憶部１２への格納開始から所定時間が経過したＴＳパケット）を、今回の階層選択の対象とすればよい。また、記憶部１２内におけるトランスポートストリームの管理は、ＰＩＤ（パケット識別子）等と対応付けて行ってもよい。
【００３８】
また、本実施形態において、制御部１０は、受信状態監視手段として機能し、前記所定時間中のチューナ２の受信状態を監視するようになっている。
【００３９】
さらに、制御部１０は、階層選択制御手段として機能し、前記所定時間が経過した際に、自らの階層選択手段としての機能を制御して、記憶部１２内のトランスポートストリーム（例えば、記憶部１２内の最古の所定数ＴＳパケット）を対象とした階層の選択を行わせるようになっている。その際に、制御部１０は、階層選択を、自らの受信状態監視手段としての機能による前記所定時間中の受信状態の監視結果に基づいて制御するようになっている。
【００４０】
具体的には、制御部１０は、フルセグの映像・音声ストリームの映像・音声出力が行われている状況下で前記所定時間が経過した際に、当該所定時間中の受信状態の監視結果が受信状態の悪化を示している場合であっても、当該所定時間中における当該悪化した受信状態の継続時間が閾値時間以下の場合には、自らの階層選択手段としての機能に、フルセグの選択を行わせるようになっている。このようなフルセグの選択は、前回の階層選択におけるフルセグの選択に引き続いてのフルセグの選択であるので、フルセグの継続的な選択（以下、フルセグ継続選択と称する）となる。
【００４１】
図２は、このようなフルセグ継続選択の例として、今回の階層選択の対象となる記憶部１２内のトランスポートストリームに対応する所定時間Ｔ〔ｓ〕中におけるチューナ２の受信電界強度〔ｄＢ〕の時間変化を示したものである。図２には、所定時間Ｔ中において、受信電界強度が、閾値電界強度Ｅよりも大きい良好な状態から一時的に閾値電界強度Ｅ以下の劣悪な状態に落ち込み、その直後、再び良好な状態に回復する様子が模式的に示されている。ここで、図２においては、閾値電界強度Ｅ以下の受信電界強度の所定時間Ｔ中における継続時間ＴＣが、閾値時間ＴＴ以下となっている。そして、本実施形態においては、このような僅かな時間ＴＣの受信電界強度の悪化を無視して、所定時間Ｔが経過した際には、フルセグ継続選択を行うことになる。なお、所定時間Ｔおよび閾値時間ＴＴとしては、記憶部１２の記憶容量、制御部１０による受信状態の検出精度（どの程度まで短時間の受信状態の変化を検出できるか）またはユーザがリアルタイムの映像・音声出力に対して許容し得るタイムシフト映像・音声出力の遅延時間等のコンセプトに応じて所望の値を設定することができる。この値は、ユーザ操作によって可変とされていてもよい。例えば、Ｔ＝５秒、ＴＴ＝１秒としてもよい。また、閾値電界強度Ｅとしては、一般に受信状態が悪いとみなされる常識的な値を設定すればよい。
【００４２】
そして、このようにして僅かな時間の受信状態の悪化を無視したフルセグ継続選択が行われた場合には、制御部１０は、フルセグを示す階層選択信号を生成してデマルチプレクサ部５に出力するとともに、今回の階層選択の対象となった記憶部１２内のトランスポートストリーム（図１における階層選択済みＴＳ）を記憶部１２から読み出してデマルチプレクサ部５に出力するようになっている。このとき、記憶部１２から読み出された分のトランスポートストリームは、記憶部１２から削除してよい。そして、デマルチプレクサ部５は、制御部１０から出力されたトランスポートストリームを多重分離することによって取得された各階層の映像・音声ストリームのうち、制御部１０から出力された階層選択信号が示すフルセグの映像・音声ストリームを、映像・音声出力のためにＭＰＥＧデコーダ６へと出力するようになっている。
【００４３】
このように、本実施形態によれば、所定時間中に受信状態が良好な状態から悪化した場合においても、悪化した受信状態の継続時間が短い場合には、所定時間の経過を待ってフルセグ継続選択を行って、記憶部１２内のトランスポートストリームにおけるフルセグ部分を、多重分離およびデコードの上でタイムシフト出力させることができる。これにより、地上デジタル放送の受信状態が僅かな時間悪化した場合におけるワンセグへの切り替えを有効に防止してフルセグ放送の継続視聴時間を確保することができる。
【００４４】
ここで、図３は、このような本実施形態の効果を従来との比較によって示した概念図である。図３においては、Ａ地点からＢ地点まで間に、受信状態が良好となる第１の区間および第３の区間と、これら両区間の間に挟まれた受信状態が劣悪となる距離が短い第２の区間とが存在すると仮定している。そして、このようなＡ地点とＢ地点との間を車載用地上デジタル放送受信装置を搭載した自車が走行する場合、従来の構成では、自車が第２の区間に到達すると、受信状態の悪化によって直ちにワンセグに切り替わり、その後は、受信状態が良好な第３の区間に進入しても、受信状態の回復が安定したと判断されるまでの間は、フルセグに復帰しないことになる。これに対して、本実施形態においては、第２の区間における受信状態の悪化が無視され、自車が第２の区間を通過したとしても、ワンセグに切り替わることなくフルセグ継続選択が行われることになる。この結果、Ａ地点からＢ地点に至るまでフルセグ放送を視聴し続けることができる。
【００４５】
上記構成に加えて、更に、制御部１０（階層選択制御手段としての機能）は、ワンセグの映像・音声ストリームの映像・音声出力が行われている状況下で前記所定時間が経過した際に、当該所定時間中の受信状態の監視結果が受信状態の回復を示している場合であって、当該所定時間中における当該回復した受信状態の継続時間が閾値時間以上の場合には、自らの階層選択手段としての機能に、フルセグの選択を行わせるようにしてもよい。なお、この場合の閾値時間は、前述した悪化した受信状態の閾値時間と異なる時間（通常は長い時間）であってよいことは勿論である。このようなフルセグの選択は、前回の階層選択におけるワンセグの選択に代えてのフルセグの選択であるので、フルセグへの選択の切り替え（以下、フルセグ切換選択と称する）となる。
【００４６】
そして、このように構成すれば、所定時間を利用して受信状態の回復が安定したことを判断した上でフルセグ切換選択を行うことができるので、フルセグ放送の安定的な視聴に移行することができる。
【００４７】
次に、本実施形態の主要な作用について、図４を参照して説明する。
【００４８】
なお、以下の説明では、１回の階層選択の対象となる単位のトランスポートストリーム（例えば、所定数ＴＳパケット）を、単にトランスポートストリームと称することとする。
【００４９】
また、図４の初期状態においては、制御部１０に自動階層選択モードが設定されているものとする。
【００５０】
そして、初期状態から、まず、図４のステップ１（ＳＴ１）において、制御部１０により、誤り訂正部４による誤り訂正後のトランスポートストリーム（図４におけるＴＳ）を記憶部１２に格納する。このとき、制御部１０は、このトランスポートストリームに対応した格納時間の計測を開始するとともに、このトランスポートストリームに対応したチューナ２の受信状態の監視を開始する。
【００５１】
次いで、ステップ２（ＳＴ２）において、制御部１０により、ステップ１（ＳＴ１）におけるトランスポートストリームの格納から所定時間が経過したか否かを、ステップ１（ＳＴ１）において開始した格納時間の計測結果に基づいて判定する。そして、ステップ２（ＳＴ２）において肯定的な判定結果が得られた場合には、ステップ３（ＳＴ３）に進み、否定的な判定結果が得られた場合には、ステップ２（ＳＴ２）を繰り返す。
【００５２】
次いで、ステップ３（ＳＴ３）において、制御部１０により、ステップ１（ＳＴ１）において開始した受信状態の監視を終了することによって、所定時間中の監視結果を取得する。
【００５３】
次いで、ステップ４（ＳＴ４）において、制御部１０により、前回の階層選択の結果等に基づいて、フルセグが映像・音声出力中であるか否かを判定する。そして、ステップ４（ＳＴ４）において肯定的な判定結果が得られた場合には、ステップ５（ＳＴ５）に進み、否定的な判定結果が得られた場合（すなわち、ワンセグが映像・音声出力中の場合）には、ステップ１０（ＳＴ１０）に進む。
【００５４】
ここで、ステップ５（ＳＴ５）〜ステップ９（ＳＴ９）までの処理について先に説明する。
【００５５】
すなわち、まず、ステップ５（ＳＴ５）においては、制御部１０により、ステップ３（ＳＴ３）において取得された所定時間中の受信状態の監視結果に基づいて、所定時間中に受信状態の悪化が示されたか否かを判定する。そして、ステップ５（ＳＴ５）において肯定的な判定結果が得られた場合には、ステップ６（ＳＴ６）に進み、否定的な判定結果が得られた場合には、ステップ７（ＳＴ７）に進む。
【００５６】
ここで、ステップ６（ＳＴ６）に進んだ場合には、このステップ６（ＳＴ６）において、制御部１０により、ステップ５（ＳＴ５）において示されたと判定された悪化した受信状態の継続時間が閾値時間以下であるか否かを判定する。そして、ステップ６（ＳＴ６）において肯定的な判定結果が得られた場合には、ステップ７（ＳＴ７）に進み、否定的な判定結果が得られた場合には、ステップ９（ＳＴ９）に進む。
【００５７】
一方、ステップ７（ＳＴ７）に進んだ場合には、このステップ７（ＳＴ７）において、制御部１０により、フルセグ継続選択を行ってステップ８（ＳＴ８）に進む。
【００５８】
また、ステップ９（ＳＴ９）に進んだ場合には、このステップ９（ＳＴ９）において、制御部１０により、ワンセグへの選択の切り替え（ワンセグ切換選択）を行って、ステップ８（ＳＴ８）に進む。
【００５９】
次いで、ステップ８（ＳＴ８）において、制御部１０により、ステップ１（ＳＴ１）において記憶部１２に格納したトランスポートストリームについての選択された階層による映像・音声出力を行って処理を終了する。具体的には、制御部１０により、当該トランスポートストリームを記憶部１２から読み出してデマルチプレクサ部５によって多重分離させ、これによって得られた各階層の映像・音声ストリームのうち、選択された階層の映像・音声ストリームをＭＰＥＧデコード部６においてデコードさせて、表示部７による映像出力および音声出力部８による音声出力を行わせる。
【００６０】
次に、ステップ１０（ＳＴ１０）以降の処理について説明すると、まず、ステップ１０（ＳＴ１０）において、制御部１０により、ステップ４（ＳＴ４）において取得された所定時間中の受信状態の監視結果に基づいて、所定時間中に受信状態の回復が示されたか否かを判定する。そして、ステップ１０（ＳＴ１０）において肯定的な判定結果が得られた場合には、ステップ１１（ＳＴ１１）に進み、否定的な判定結果が得られた場合には、ステップ１３（ＳＴ１３）に進む。
【００６１】
ここで、ステップ１１（ＳＴ１１）に進んだ場合には、このステップ１１（ＳＴ１１）において、制御部１０により、ステップ１０（ＳＴ１０）において示されたと判定された回復した受信状態の継続時間が閾値時間以上であるか否かを判定する。そして、ステップ１１（ＳＴ１１）において肯定的な判定結果が得られた場合には、ステップ１２（ＳＴ１２）に進み、否定的な判定結果が得られた場合には、ステップ１３（ＳＴ１３）に進む。
【００６２】
一方、ステップ１３（ＳＴ１３）に進んだ場合には、このステップ１３（ＳＴ１３）において、制御部１０により、ワンセグの継続的な選択（ワンセグ継続選択）を行ってステップ８（ＳＴ８）に進む。
【００６３】
また、ステップ１２（ＳＴ１２）に進んだ場合には、このステップ１２（ＳＴ１２）において、制御部１０により、フルセグ切換選択を行ってステップ８（ＳＴ８）に進む。
【００６４】
なお、以上の各工程は、記憶部１２に逐次新たに格納されるトランスポートストリームに対して順次実施すればよい。
【００６５】
（第２実施形態）
次に、本発明に係る車載用地上デジタル放送受信装置の第２実施形態を、第１実施形態との差異を中心に図５および図６を参照して説明する。
【００６６】
なお、本実施形態の構成は、第１実施形態と外部構成が同様であるので、第１実施形態と同一の符号を用いて説明する。
【００６７】
本実施形態の第１実施形態との相違点の１つは、記憶部１２に格納するワンセグおよびフルセグの放送信号が、デマルチプレクサ部５による多重分離後に取得されたワンセグの映像・音声ストリームおよびフルセグの映像・音声ストリームである点にある。したがって、図５に示すように、本実施形態においては、制御部１０が、デマルチプレクサ部５から各階層の映像・音声ストリームを取得し、これを記憶部１２に格納するようになっている。
【００６８】
このような相違点は、以下に示す第１実施形態に対する主要な相違点を実現させるための副次的な相違点である。
【００６９】
すなわち、本実施形態においては、第１実施形態のように、ワンセグの放送信号およびフルセグの放送信号をともに一体のトランスポートストリームとして記憶部１２に同時間（所定時間）格納するのではなく、各階層の放送信号の格納時間（終了時点）を互いに異ならせるようになっている。具体的には、ワンセグの放送信号については、ワンセグの映像・音声ストリームとして記憶部１２に所定時間格納し、一方、フルセグの放送信号については、フルセグの映像・音声ストリームとして記憶部１２に所定時間よりも所定の遅延時間だけ長い時間格納するようになっている。
【００７０】
さらに、本実施形態においては、記憶部１２に格納されたワンセグの映像・音声ストリームおよびフルセグの映像・音声ストリームのうち、前記所定時間が経過した際に制御部１０によって選択された階層に該当する映像・音声ストリーム（図５における選択階層映像・音声ストリーム）が、制御部１０によって記憶部１２から読み出されてＭＰＥＧデコード部６に出力されるようになっている。このようにして、選択された階層の放送信号が映像・音声出力されるようになっている。
【００７１】
ただし、制御部１０によってフルセグが選択された場合には、この選択から更に遅延時間が経過した後に、記憶部１２内のフルセグの映像・音声ストリームがＭＰＥＧデコーダ部６に出力されることになる。すなわち、本実施形態においては、記憶部１２内のフルセグの映像・音声ストリームの映像・音声出力への移行が、制御部１０によるフルセグの選択後に遅延時間だけ遅延するようになっている。
【００７２】
このような構成によれば、ワンセグの放送信号のデコード時間がフルセグの放送信号のデコード時間よりも長くなる現象に有効に対応することができる。すなわち、今回の階層選択においてフルセグが選択された場合であって、前回の階層選択においてワンセグが選択された場合には、今回の階層選択によって、ワンセグの映像・音声出力からフルセグの映像・音声出力へと切り替わることになる。このような場合に、ワンセグの映像・音声ストリームのデコード時間が長いことを考慮しないで今回の階層選択後に直ちにフルセグの映像・音声ストリームをデコードさせる場合には、コマ落ちや音飛びといった不具合が生じてしまう。これに対して、本実施形態のように構成すれば、フルセグに対するワンセグのデコードの遅延時間を、記憶部１２におけるフルセグの映像・音声ストリームの格納時間の加算分（遅延時間）によって解消することができるので、ワンセグの放送からフルセグの放送への切換を、コマ落ちや音飛びが少ない滑らかな状態で行うことができる。
【００７３】
次に、本実施形態の主たる作用について、図６を参照して説明する。
【００７４】
本実施形態においては、まず、ステップ２１（ＳＴ２１）に示すように、制御部１０により、デマルチプレクサ部５によって取得された各階層の映像・音声ストリームを記憶部１２に所定時間格納するとともに、この所定時間中の受信状態を監視する。
【００７５】
次いで、ステップ２２（ＳＴ２２）において、制御部１０により、第１実施形態と同様な要領で階層選択を行い、フルセグを選択した場合にはステップ２３（ＳＴ２３）に進み、ワンセグを選択した場合にはステップ２４（ＳＴ２４）に進む。
【００７６】
そして、ステップ２３（ＳＴ２３）に進んだ場合には、遅延時間の経過を待って、記憶部１２内のフルセグの映像・音声ストリームをデコードして映像・音声出力する。
【００７７】
一方、ステップ２４（ＳＴ２４）に進んだ場合には、直ちに、記憶部１２内のワンセグの映像・音声ストリームをデコードして映像・音声出力する。
【００７８】
なお、本発明は、前述した実施の形態に限定されるものではなく、本発明の特徴を損なわない限度において種々変更することができる。
【００７９】
例えば、第２実施形態において、フルセグの映像・音声ストリームをワンセグの映像・音声ストリームよりも遅延時間分長く記憶部１２に格納する処理は、このフルセグの映像・音声ストリームを対象とした階層選択が行われる直前の階層選択においてワンセグが選択されたことを条件として行うようにしてもよい。
【符号の説明】
【００８０】
１  車載用地上デジタル放送受信装置
２  チューナ
６  ＭＰＥＧデコード部
７  表示部
８  音声出力部
１０  制御部
１２  記憶部
【図１】
2012169902.tif 000003
【図２】
2012169902.tif 000004
【図３】
2012169902.tif 000005
【図４】
2012169902.tif 000006
【図５】
2012169902.tif 000007
【図６】
2012169902.tif 000008